【手続補正書】
【提出日】平成20年6月9日(2008.6.9)
【手続補正１】
【補正対象書類名】明細書
【補正対象項目名】特許請求の範囲
【補正方法】変更
【補正の内容】
【特許請求の範囲】
【請求項１】 情報処理装置と、出力装置とを備える出力システムにおいて、
前記情報処理装置は、
出力データ及び前記出力データに関連する付随情報を含む送信データを暗号化する暗号化手段と、該暗号化された送信データを前記出力装置に送信する送信手段とを備え、
前記出力装置は、
前記送信手段から送信される前記暗号化された送信データを受信する受信手段と、
前記受信手段によって受信した前記暗号化された送信データを復号化する復号化手段と、
前記付随情報が入力された場合に、前記復号化手段によって復号化された送信データに含まれる出力データを出力する出力手段と、
前記受信手段によって、前記暗号化された送信データを受信した場合に、当該暗号化された送信データを受信したことを示す受信報告を、前記情報処理装置に通知する通知手段とを備え、
前記出力手段は、前記通知手段により、前記受信報告が前記情報処理装置に通知できた場合に、前記出力データの出力を許可することを特徴とする出力システム。
【請求項２】  前記出力システムは、前記出力装置を制御する出力制御装置をさらに備え、
前記出力制御装置は、前記通知手段から通知された受信報告を前記情報処理装置に転送可能か否かを判定する判定手段と、
前記判定手段によって転送可能と判定された場合に、前記受信報告を前記情報処理装置に転送する転送手段とを備え、
前記転送手段は、前記判定手段によって転送可能ではないと判定された場合に、前記受信報告を前記出力装置に返送することを特徴とする請求項１に記載の出力システム。
【請求項３】  前記通知手段は、前記出力手段による出力が可能になったときに、前記受信報告を前記出力制御装置に通知することを特徴とする請求項２に記載の出力システム。
【請求項４】  前記出力装置は、前記受信報告を返送されたときに、前記出力データの廃棄及び一時記憶のいずれか一方を行うことを特徴とする請求項２又は３に記載の出力システム。
【請求項５】  前記付随情報は、前記情報処理装置を使用するユーザのメールアドレス、前記ユーザの認証用のパスワード、前記出力データを一意に区別する名称、及び前記ユーザに対するコメントの少なくともいずれかを含むことを特徴とする請求項１乃至４のいずれか１項に記載の出力システム。
【請求項６】  前記付随情報は、前記ユーザの認証用のパスワードを含み、
前記出力装置は、前記出力手段が前記出力データを出力する場合に、前記ユーザのパスワードの入力を要求するパスワード入力要求手段と、
該パスワード入力要求手段の要求に応じて入力されたパスワードと前記付随情報に含まれる前記ユーザの認証用のパスワードとが一致するか否か判別するパスワード判別手段とを備え、
前記パスワード判別手段が前記パスワード入力要求手段の要求に応じて入力されたパスワードと、前記付随情報に含まれる前記ユーザの認証用のパスワードとが一致すると判別したときに、前記出力手段が前記出力データを出力することを特徴とする請求項５に記載の出力システム。
【請求項７】  前記出力装置は、前記出力データの出力を中止する出力中止手段をさらに備え、前記パスワード判別手段が前記パスワード入力要求手段の要求に応じて入力されたパスワードと、前記付随情報に含まれる前記ユーザの認証用のパスワードとが一致すると判別したときに、前記出力中止手段が前記出力データの出力を中止することを特徴とする請求項６記載の出力システム。
【請求項８】 情報処理装置と、出力装置とを備える出力システムにおいて、
前記情報処理装置は、
出力データを暗号化する暗号化手段と、
該暗号化された出力データを前記出力装置に送信する送信手段とを備え、
前記出力装置は、
前記送信手段によって送信される暗号化された出力データを受信する受信手段と、
前記受信手段によって受信した前記暗号化された出力データを復号化する復号化手段と、
前記復号化手段によって復号化された出力データを出力する出力手段と、
前記受信手段によって、前記暗号化された送信データを受信した場合に、当該暗号化された送信データを受信したことを示す受信報告を、前記情報処理装置に通知する通知手段とを備え、
前記出力手段は、前記通知手段により、前記受信報告が前記情報処理装置に通知できた場合に、前記出力手段が前記出力データの出力を許可することを特徴とする出力システム。
【請求項９】 情報処理装置と、出力装置とを備える出力システムの制御方法において、
前記情報処理装置にて、出力データ及び前記出力データに関連する付随情報を含む送信データを暗号化し、
該暗号化された送信データを前記出力装置に送信し、
前記出力装置にて、前記情報処理装置から送信される前記暗号化された送信データを受信し、該受信した送信データを復号化し、前記暗号化された送信データの受信報告を前記情報処理装置に通知し、
前記受信報告が前記情報処理装置に通知できた場合に、前記出力装置にて、前記復号化された出力データの出力を可能とすることを特徴とする出力システムの制御方法。
【請求項１０】  情報処理装置と、出力装置とを備える出力システムの制御方法において、
前記情報処理装置にて、
出力データに関連する付随情報を暗号化し、該暗号化された付随情報を前記出力装置に送信し、
前記出力装置にて、
前記情報処理装置から送信される前記暗号化された付随情報を受信し、
該受信した前記暗号化された付随情報を復号化し、
該復号化された付随情報を受信したことを示す受信報告を前記情報処理装置に通知し、
前記情報処理装置にて、前記受信報告を受信した場合に、前記出力データを暗号化し、該暗号化された出力データを前記出力装置に送信し、
前記出力装置にて、該送信された前記暗号化された出力データを復号化し、出力することを特徴とする出力システムの制御方法。
【手続補正２】
【補正対象書類名】明細書
【補正対象項目名】０００９
【補正方法】変更
【補正の内容】
【０００９】
【課題を解決するための手段】
上記目的を達成するために、請求項１に記載の出力システムは、情報処理装置と、出力装置とを備える出力システムにおいて、前記情報処理装置は、出力データ及び前記出力データに関連する付随情報を含む送信データを暗号化する暗号化手段と、該暗号化された送信データを前記出力装置に送信する送信手段とを備え、前記出力装置は、前記送信手段から送信される前記暗号化された送信データを受信する受信手段と、前記受信手段によって受信した前記暗号化された送信データを復号化する復号化手段と、前記付随情報が入力された場合に、前記復号化手段によって復号化された送信データに含まれる出力データを出力する出力手段と、前記受信手段によって、前記暗号化された送信データを受信した場合に、当該暗号化された送信データを受信したことを示す受信報告を、前記情報処理装置に通知する通知手段とを備え、前記出力手段は、前記通知手段により、前記受信報告が前記情報処理装置に通知できた場合に、前記出力データの出力を許可することを特徴とする。
【手続補正３】
【補正対象書類名】明細書
【補正対象項目名】００１０
【補正方法】変更
【補正の内容】
【００１０】
請求項２の出力システムは、請求項１に記載の出力システムにおいて、前記出力システムは、前記出力装置を制御する出力制御装置をさらに備え、前記出力制御装置は、前記通知手段から通知された受信報告を前記情報処理装置に転送可能か否かを判定する判定手段と、前記判定手段によって転送可能と判定された場合に、前記受信報告を前記情報処理装置に転送する転送手段とを備え、前記転送手段は、前記判定手段によって転送可能ではないと判定された場合に、前記受信報告を前記出力装置に返送することを特徴とする。
【手続補正４】
【補正対象書類名】明細書
【補正対象項目名】００１１
【補正方法】変更
【補正の内容】
【００１１】
請求項３の出力システムは、請求項２に記載の出力システムにおいて、前記通知手段は、前記出力手段による出力が可能になったときに、前記受信報告を前記出力制御装置に通知することを特徴とする。
【手続補正５】
【補正対象書類名】明細書
【補正対象項目名】００１２
【補正方法】変更
【補正の内容】
【００１２】
請求項４の出力システムは、請求項２又は３に記載の出力システムにおいて、前記出力装置は、前記受信報告を返送されたときに、前記出力データの廃棄及び一時記憶のいずれか一方を行うことを特徴とする。
【手続補正６】
【補正対象書類名】明細書
【補正対象項目名】００１３
【補正方法】変更
【補正の内容】
【００１３】
請求項５の出力システムは、請求項１乃至４のいずれか１項に記載の出力システムにおいて、前記付随情報は、前記情報処理装置を使用するユーザのメールアドレス、前記ユーザの認証用のパスワード、前記出力データを一意に区別する名称、及び前記ユーザに対するコメントの少なくともいずれかを含むことを特徴とする。
【手続補正７】
【補正対象書類名】明細書
【補正対象項目名】００１４
【補正方法】変更
【補正の内容】
【００１４】
請求項６の出力システムは、請求項５に記載の出力システムにおいて、前記付随情報は、前記ユーザの認証用のパスワードを含み、前記出力装置は、前記出力手段が前記出力データを出力する場合に、前記ユーザのパスワードの入力を要求するパスワード入力要求手段と、該パスワード入力要求手段の要求に応じて入力されたパスワードと前記付随情報に含まれる前記ユーザの認証用のパスワードとが一致するか否か判別するパスワード判別手段とを備え、前記パスワード判別手段が前記パスワード入力要求手段の要求に応じて入力されたパスワードと、前記付随情報に含まれる前記ユーザの認証用のパスワードとが一致すると判別したときに、前記出力手段が前記出力データを出力することを特徴とする。
【手続補正８】
【補正対象書類名】明細書
【補正対象項目名】００１５
【補正方法】変更
【補正の内容】
【００１５】
請求項７の出力システムは、請求項６に記載の出力システムにおいて、前記出力装置は、前記出力データの出力を中止する出力中止手段をさらに備え、前記パスワード判別手段が前記パスワード入力要求手段の要求に応じて入力されたパスワードと、前記付随情報に含まれる前記ユーザの認証用のパスワードとが一致すると判別したときに、前記出力中止手段が前記出力データの出力を中止することを特徴とする。
【手続補正９】
【補正対象書類名】明細書
【補正対象項目名】００１６
【補正方法】変更
【補正の内容】
【００１６】
請求項８の出力システムは、情報処理装置と、出力装置とを備える出力システムにおいて、前記情報処理装置は、出力データを暗号化する暗号化手段と、該暗号化された出力データを前記出力装置に送信する送信手段とを備え、前記出力装置は、前記送信手段によって送信される暗号化された出力データを受信する受信手段と、前記受信手段によって受信した前記暗号化された出力データを復号化する復号化手段と、前記復号化手段によって復号化された出力データを出力する出力手段と、前記受信手段によって、前記暗号化された送信データを受信した場合に、当該暗号化された送信データを受信したことを示す受信報告を、前記情報処理装置に通知する通知手段とを備え、前記出力手段は、前記通知手段により、前記受信報告が前記情報処理装置に通知できた場合に、前記出力手段が前記出力データの出力を許可することを特徴とする。
【手続補正１０】
【補正対象書類名】明細書
【補正対象項目名】００１７
【補正方法】変更
【補正の内容】
【００１７】
請求項９の出力システムの制御方法は、情報処理装置と、出力装置とを備える出力システムの制御方法において、前記情報処理装置にて、出力データ及び前記出力データに関連する付随情報を含む送信データを暗号化し、該暗号化された送信データを前記出力装置に送信し、前記出力装置にて、前記情報処理装置から送信される前記暗号化された送信データを受信し、該受信した送信データを復号化し、前記暗号化された送信データの受信報告を前記情報処理装置に通知し、前記受信報告が前記情報処理装置に通知できた場合に、前記出力装置にて、前記復号化された出力データの出力を可能とすることを特徴とする。
【手続補正１１】
【補正対象書類名】明細書
【補正対象項目名】００１８
【補正方法】変更
【補正の内容】
【００１８】
請求項１０の出力システムの制御方法は、情報処理装置と、出力装置とを備える出力システムの制御方法において、前記情報処理装置にて、出力データに関連する付随情報を暗号化し、該暗号化された付随情報を前記出力装置に送信し、前記出力装置にて、前記情報処理装置から送信される前記暗号化された付随情報を受信し、該受信した前記暗号化された付随情報を復号化し、該復号化された付随情報を受信したことを示す受信報告を前記情報処理装置に通知し、前記情報処理装置にて、前記受信報告を受信した場合に、前記出力データを暗号化し、該暗号化された出力データを前記出力装置に送信し、前記出力装置にて、該送信された前記暗号化された出力データを復号化し、出力することを特徴とする。
【手続補正１２】
【補正対象書類名】明細書
【補正対象項目名】００６４
【補正方法】変更
【補正の内容】
【００６４】
【発明の効果】
以上詳細に説明したように、請求項１に記載の出力システムによれば、出力データ及びこの出力データに関連する付随情報を含む送信データを暗号化すると共に、暗号化された送信データを出力装置に送信し、出力装置が、付随情報が入力された場合に復号化された暗号化送信データに含まれる出力データの出力を、暗号化された送信データを受信したことを示す受信報告を情報処理装置に通知して受信報告が情報処理装置に通知できた場合に許可するので、暗号化されたデータがネットワーク上の各装置間で通信され、第三者がネットワーク上からユーザ情報、パスワード及び出力データを盗み出すことが困難となるという効果を奏する。また、予めユーザ情報とパスワードが登録されているネットワークサーバ等を利用する必要がないので、出力システム全体の構成の複雑さと出力システム導入の手間を解消することができる。
【手続補正１３】
【補正対象書類名】明細書
【補正対象項目名】００６５
【補正方法】変更
【補正の内容】
【００６５】
請求項２に記載の出力システムによれば、通知された受信報告を情報処理装置に転送可能と判定された場合に受信報告を情報処理装置に転送し、通知された受信報告を情報処理装置に転送可能でないと判定された場合に受信報告を出力装置に返送するので、既存のメールシステムを利用することができ、出力システム全体の構成の複雑さと出力システム導入の手間を解消することができる。
【手続補正１４】
【補正対象書類名】明細書
【補正対象項目名】００６６
【補正方法】変更
【補正の内容】
【００６６】
請求項３に記載の出力システムによれば、出力装置による出力が可能になったときに、受信報告を出力制御装置に通知するので、情報処理装置はこの通知後に受信報告を出力制御装置から受信することになるため、ユーザは都合の良いときに、出力データを出力することができる。
【手続補正１５】
【補正対象書類名】明細書
【補正対象項目名】００６７
【補正方法】変更
【補正の内容】
【００６７】
請求項４に記載の出力システムによれば、出力装置が受信報告を返送されたときに出力データの廃棄及び一時記憶のいずれか一方を行うので、出力データを廃棄するときには、出力データを記憶する外部記憶装置等の空き容量の不足を解消することができる。また、出力データを一時記憶するときには、改めて、情報処理装置から転送データを再送する必要がなくなり、転送データの転送効率を良くすることができる。
【手続補正１６】
【補正対象書類名】明細書
【補正対象項目名】００６８
【補正方法】変更
【補正の内容】
【００６８】
請求項５に記載の出力システムによれば、付随情報は、情報処理装置を使用するユーザのメールアドレス、前記ユーザの認証用のパスワード、前記出力データを一意に区別する名称、及び前記ユーザに対するコメントの少なくともいずれかを含むので、パスワードにより第三者が無断で出力データを出力することを防止でき、出力データを一意に区別する名称により出力装置から一意に出力データを選択することが可能となり、指定されたユーザに対するコメントにより出力データの内容について知ることができる。
【手続補正１７】
【補正対象書類名】明細書
【補正対象項目名】００６９
【補正方法】変更
【補正の内容】
【００６９】
請求項６に記載の出力システムによれば、パスワード入力要求手段の要求に応じて入力されたパスワードと、付随情報に含まれるユーザの認証用のパスワードとが一致するときに、出力手段が出力データを出力するので、第三者が無断で出力データを出力することを防止することができる。
【手続補正１８】
【補正対象書類名】明細書
【補正対象項目名】００７０
【補正方法】変更
【補正の内容】
【００７０】
請求項７に記載の出力システムによれば、パスワード入力要求手段の要求に応じて入力されたパスワードと、付随情報に含まれるユーザの認証用のパスワードとが一致するときに、出力中止手段が出力データの出力を中止するので、第三者が無断で出力データの出力を中止することを防止することができる。
【手続補正１９】
【補正対象書類名】明細書
【補正対象項目名】００７１
【補正方法】変更
【補正の内容】
【００７１】
請求項８に記載の出力システムによれば、出力データを暗号化すると共に、暗号化された送信データを出力装置に送信し、出力装置が、復号化された出力データの出力データの出力を、暗号化された送信データを受信したことを示す受信報告を情報処理装置に通知して受信方向が情報処理装置に通知できな場合に許可するので、暗号化されたデータがネットワーク上の各装置間で通信され、第三者がネットワーク上からユーザ情報、パスワード及び出力データを盗み出すことが困難となるという効果を奏する。また、予めユーザ情報とパスワードが登録されているネットワークサーバ等を利用する必要がないので、出力システム全体の構成の複雑さと出力システム導入の手間を解消することができる。
【手続補正２０】
【補正対象書類名】明細書
【補正対象項目名】００７２
【補正方法】変更
【補正の内容】
【００７２】
請求項９に記載の出力システムの制御方法によれば、出力データ及びこの出力データに関連する付随情報を含む送信データを暗号化すると共に、暗号化された送信データを出力装置に送信し、出力装置にて、複合化された出力データの出力を、暗号化された送信データの受信方向を情報処理装置に通知して受信報告が情報処理装置に通知できた場合に可能とするので、暗号化されたデータがネットワーク上の各装置間で通信され、第三者がネットワーク上からユーザ情報、パスワード及び出力データを盗み出すことが困難となるという効果を奏する。また、予めユーザ情報とパスワードが登録されているネットワークサーバ等を利用する必要がないので、出力システム全体の構成の複雑さと出力システム導入の手間を解消することができる。
【手続補正２１】
【補正対象書類名】明細書
【補正対象項目名】００７３
【補正方法】変更
【補正の内容】
【００７３】
請求項１０に記載の出力システムの制御方法によれば、予め暗号化された受信報告の通知先、即ち情報処理装置の所在を確認して、情報処理装置から出力装置に暗号化された出力データを送信するので、暗号化された受信報告の通知先の指定を誤ることがなくなるという効果を奏する。